(57)【要約】  本発明は、便器などの清掃作業を行うために、いくつかの積層された清掃パッドから１つの清掃パッドを選択的に把持し、次に、使用者による清掃パッドとの直接の接触の必要なしに、洗浄などによる廃棄のために清掃パッドを選択的に解放するための把持手段を備えるハンドルを含む、改良型の清掃装置に関する。本発明はまた、独立して使用されることができる清掃パッドおよびハンドルのための特定の改良形態を提供する。したがってこれらに対する改良形態は、異なる設計のハンドルまたは清掃パッドとともに使用するために適切である。
2008508908.tif 000002
【特許請求の範囲】
【請求項１】
清掃のための装置であって、ハンドルと、清掃パッドと、清掃パッドのための把持手段とを含み、前記把持手段が、清掃パッドと接触するための位置へ移動される複数の把持部材を含み、把持手段の清掃パッドに対するさらなる移動が、把持部材が清掃パッドの表面と接触する第１の位置と、前記把持部材が前記清掃パッドに把持を及ぼす第２の位置との間で把持部材を移動させる、装置。
【請求項２】
清掃パッドが、第２の位置から第１の位置への把持部材の移動によって把持手段から排出されることができる、請求項１に記載の装置。
【請求項３】
清掃パッドの外側層が、織物、繊維、またはフォームなどの開構造を有する、請求項１に記載の装置。
【請求項４】
把持が、第１の位置と第２の位置との間の把持部材の移動として達成され、前記把持部材の第１および第２の組の遠ざかる移動を生じさせ、その結果、清掃パッドの、少なくとも把持部材の前記組の位置の間の部分が、伸長されて、増加したレベルの張力下で保持される、請求項１に記載の装置。
【請求項５】
把持部材が、複数の組に分割され、把持手段の共通面から外向きに懸下し、前記第１の位置と第２の把持位置との間で移動される、請求項１に記載の装置。
【請求項６】
前記第１の位置と第２の位置との間での把持部材の移動が、スナップ動作である、またはスナップ動作を含む、請求項１に記載の装置。
【請求項７】
把持部材が、細長い形態であり、かつ比較的直線状であり、各組の把持部材が、直線状に離隔されたアレイで設けられる、請求項１に記載の装置。
【請求項８】
把持部材が、清掃パッドに対してある角度で清掃パッドに接近するように角度を付けて配列される、請求項１に記載の装置。
【請求項９】
把持部材のいくつかまたはすべてが、フック形成物を備える、請求項１に記載の装置。
【請求項１０】
把持手段が、ハンドルとともに使用するように提供され、前記ハンドルが把持手段とともに配置され、把持部材が突き出している面に対向する把持手段の面から遠ざかるように懸下する、請求項１に記載の装置。
【請求項１１】
第１の位置と第２の位置との間の把持部材の移動が、ハンドルと把持手段の相対移動によって達成される、請求項１０に記載の装置。
【請求項１２】
把持手段に向かうハンドルの移動が、第１の位置から第２の位置への把持部材の移動を生じさせ、把持手段から遠ざかるハンドルの移動が、第２の位置から第１の位置への把持手段の移動を生じさせる、請求項１１に記載の装置。
【請求項１３】
把持手段が、清掃作業が行われることを可能にするようにハンドルに対して角度が調節可能であり、ハンドルと把持手段との間の移動の両端位置の１つへのさらなる旋回移動が、物品によってまたは物品に接して保持された把持手段を備えるハンドルが、清掃パッドと接触して清掃パッドを把持するために把持手段に向かって、または清掃パッドの排出を生じさせるために把持手段から遠ざかるように、把持手段に対して移動されることを可能にする、請求項１０に記載の装置。
【請求項１４】
把持手段が、プレートの一部として提供され、前記プレートが、第１の位置と第２の位置との間の移動がスナップ動作を提供するためにオーバーセンタのまわりの移動を含むように、把持手段で保持されている、請求項１から１３のいずれか一項に記載の装置。
【請求項１５】
ハンドルが、係合位置と開放位置との間で移動することができる係合手段を介して、把持手段に取外し可能に取り付け可能である、請求項１０に記載の装置。
【請求項１６】
係合手段の移動が、ハンドルの一部として設けられたレバーの操作によって達成される、請求項１５に記載の装置。
【請求項１７】
ホルダが、清掃パッドおよびハンドルのために提供され、前記ホルダが、ハンドルのための２つの位置、すなわち、清掃パッドのスタックの最上部での第１の使用のための準備位置と、グリップが使用のために準備された開放位置に留まることを確実にする、盛り上がったバンプの上にグリップが配置された、反対方向に面したホルダの後方に着座された第２の保管位置とを有する、請求項１に記載の装置。
【請求項１８】
ホルダおよびハンドルが、パッドが係合するとき、スタンド内の保管位置でハンドルの重量下でまたは使用者によって印加される圧力下で、開いた把持が回転しないことを確実にする止め具を有するハンドルの回転する把持、ハンドルが寄りかかることができるレスト／ガイド、および／または、ハンドルが水平方向のパッドの上方に配置されるときにハンドルの重量の大部分がハンドル／グリップ旋回軸の片側にあるハンドルという特徴のいずれか、またはそれら特徴の任意の組合せを含む、請求項１に記載の装置。
【請求項１９】
１つまたは複数のリブが、ホルダ内に配置された清掃パッドのスタックとの制限された摩擦抵抗を提供するようにホルダの内側に配置される、請求項１に記載の装置。
【請求項２０】
１つまたは複数のリブが、清掃パッドが設けられるカートン壁に組み込まれる、請求項１９に記載の装置。
【請求項２１】
清掃作業を行うための装置であって、清掃パッドと、清掃パッドを把持するための把持手段と、把持手段との接続のためのハンドルとを含み、前記清掃パッドが、把持手段から選択的に変位可能であり、前記把持手段が、ハンドルから選択的に変位可能であり、把持手段が歯を含み、該歯が、第１の把持位置から、清掃パッドの排出を生じさせるために、歯が接触する清掃パッドの表面に対して実質上垂直である第２の排出位置へ移動されることができる装置。
【請求項２２】
清掃パッドが排出されるとき、把持手段の歯が第３の位置へ戻る、請求項２１に記載の装置。
【請求項２３】
ハンドルおよび把持手段が、旋回位置を介して接続され、前記把持手段が、把持手段を旋回移動の範囲の終端位置へ旋回させることによって、ハンドルから選択的に取外し可能である、請求項２１に記載の装置。
【請求項２４】
取外しのための位置が、清掃作業中の装置の作業のために必要とされる通常移動範囲の外にある、請求項２３に記載の装置。
【請求項２５】
把持手段およびハンドルが、取外し可能にするために必要とされる位置にあるとき、ハンドルおよび／または把持手段の操作および／または変形が、それに続く取外しを生じさせる、請求項２４に記載の装置。
【請求項２６】
清掃動作での使用のための清掃パッドであって、セルロース繊維を含む繊維の混合物から形成される清掃パッド。
【請求項２７】
セルロース繊維が、繊維混合物の２０％〜７０％の範囲内で含まれる、請求項２６に記載の清掃パッド。
【請求項２８】
その他の繊維が、３０％〜８０％の範囲内で提供される、請求項２７に記載の清掃パッド。
【請求項２９】
その他の繊維が、３０％〜８０％の羊毛繊維（ケラチン）を含む、請求項２８に記載の清掃パッド。
【請求項３０】
清掃パッドが、２０％〜７０％の８デシテックスより大きい繊維価のビスコースレーヨン、および３０％〜８０％の３０ミクロンより太い羊毛を含む、請求項２９に記載の清掃パッド。
【請求項３１】
清掃パッドが、清掃パッドの長さに沿っておよび幅に渡って、切欠きの格子で、未切断の材料のタグを接合する、清掃パッド内の穿孔／切取線を備える、請求項２６に記載の清掃パッド。
【請求項３２】
追加のより長い切取線が、清掃パッドを分割するために設けられている、請求項３１に記載の清掃パッド。
【請求項３３】
切取線の間の間隔が、いずれの方向でも最大で１５ｍｍである、請求項３１および３２に記載の清掃パッド。
【請求項３４】
清掃パッドが、１０ｍｍの最小半径の曲線状輪郭の隅部を備える実質上矩形の形状である、請求項３１に記載の清掃パッド。
【請求項３５】
清掃パッドの繊維が、１平方ｃｍ当たり２個〜４個の穿孔の比率で穿孔される、請求項２６から３４のいずれか一項に記載の清掃パッド。
【請求項３６】
清掃パッドの繊維の少なくともいくらかが、清掃パッド内の繊維の６０％より多くが、１５ｍｍ未満の長さを有するように切断される、請求項２６から３５のいずれか一項に記載の清掃パッド。
【請求項３７】
ポリマー結合剤の水性分散剤が、清掃パッドに加えられる、請求項２６から３６のいずれか一項に記載の清掃パッド。
【請求項３８】
結合剤が、研磨粒子を含む、請求項３７に記載の清掃パッド。
【請求項３９】
清掃パッドが、少なくとも１つの外部表面から内部へ深さ３ｍｍまでの前記結合剤の浸透を有する、請求項３７に記載の清掃パッド。
【請求項４０】
浸透の深さが、２ｍｍまでである、請求項３７に記載の清掃パッド。
【請求項４１】
結合剤が、清掃パッドの対向する平面状の外部表面に加えられる、請求項３７に記載の清掃パッド。
【請求項４２】
清掃パッドが、比較的強い層を備える第１の外部表面と、未結合の繊維の内部コアまたは層と、反対側の別の比較的強い層とを有する、請求項３７から４１のいずれか一項に記載の清掃パッド。
【請求項４３】
ポリマー結合剤が、生分解性である、請求項３７から４２のいずれか一項に記載の清掃パッド。
【請求項４４】
ポリマーが、高分子脂肪族ポリエステルポリウレタンである、請求項３７から４３のいずれか一項に記載の清掃パッド。
【請求項４５】
ポリマー結合剤が、ポリマー分散剤の固体質量の５％から１００％の間の範囲内レベルの生分解性の粒子状固体を含む、請求項３７から４４のいずれか一項に記載の清掃パッド。
【請求項４６】
耐水性結合剤被覆が、清掃パッドの片側に加えられ、別の面に、ポリマー被覆が、加えられる、請求項３７に記載の清掃パッド。
【請求項４７】
繊維が、水中での使用の後分解することができる繊維混合物に追加される、請求項３７に記載の清掃パッド。
【請求項４８】
清掃パッドの浮力が、組立体から廃棄されるとき、および清掃パッドが洗浄される必要性があるとき、清掃パッドの廃棄性に影響を与えるように制御される、請求項３７から４７のいずれか一項に記載の清掃パッド。
【請求項４９】
浮力が、清掃パッドの密度に対して決定され、洗浄性のための好ましい密度範囲が、清掃パッドが、水中で試験サンプルの重量を測る前に６０秒間４℃で冷たい純水に完全に浸漬されるとき、１．０５グラム／ＣＣ〜１．４５グラム／ＣＣの間である、請求項４８に記載の清掃パッド。
【請求項５０】
清掃パッドの密度が、使用中清掃パッドが浸漬される水または水溶液の密度の１．０５〜１．４５倍の範囲内である、請求項４９に記載の清掃パッド。
【発明の詳細な説明】
【技術分野】
【０００１】
本出願が関連する発明は、装置が、それに取り付けられた清掃パッドによって、たとえば便器上での清掃パッドを使用した清掃作業を制御するために使用されることができるように、清掃パッドに把持力を及ぼすために使用されることができる、把持手段およびそのための作動ハンドルを備える装置を提供するものである。さらに、把持手段は、清掃パッドとの物理的な接触の必要なしで、汚れたときに清掃パッドを装置から排出するように作動されることができる。
【背景技術】
【０００２】
本願出願人の同時継続特許出願ＰＣＴ／ＧＢ２００４／０００７４０では、ハンドルと、取り付け手段と、清掃パッドと、いくつかの前記清掃パッドのためのホルダを備える清掃装置が開示されている。この出願では、それによってパッドのハンドルへの取り付けが、たとえば、清掃パッドの繊維または物質と係合するハンドル上のＶｅｃｒｏの使用によって、選択的に達成されることができる手段が開示されている。しかし、この問題点は、それが作業している間、排出手段が、ハンドル組立体内の取り付け機構を通過するため、取り付け機構が容易に交換可能ではないことである。
【発明の開示】
【発明が解決しようとする課題】
【０００３】
これは効果的であることが見出されたが、本発明の目的は、清掃パッドが使用のために必要なときに把持され、また清掃パッドの廃棄のために必要なときに排出されることを可能にする、ハンドルとともに使用するための改良型の把持手段を提供することである。本発明のさらなる目的は、その改良された作業を可能にし、廃棄されるときの清掃パッドの改良された廃棄を可能にする、パッドのための改良形態を提供し、装置の有用性を全般的に改良することである。
【課題を解決するための手段】
【０００４】
本発明の第１の態様では、清掃のための装置であって、清掃パッドのための把持手段を含み、前記把持手段が、清掃パッドと接触するための位置へ移動される複数の把持部材を含み、把持手段の清掃パッドに対するさらなる移動が、把持部材がパッドの表面と接触する第１の位置と、そこで前記把持部材が前記清掃パッドに把持を及ぼす第２の位置との間で、把持部材を移動させる装置が提供される。
【０００５】
一実施形態では、清掃パッドが、第２の位置から第１の位置への把持部材の移動によって把持手段から排出されることができる。
【０００６】
一実施形態では、清掃パッドの外側層が、織物、繊維、またはフォームなどの開構造を有する。
【０００７】
一実施形態では、把持が、第１の位置と第２の位置との間の把持部材の移動として達成され、前記把持部材の第１および第２の組の遠ざかる移動を生じさせ、その結果、清掃パッドの、少なくとも把持部材の前記組の位置の間の部分が、伸長されて、増加したレベルの張力下で保持される。一実施形態では、把持部材が、複数の組に分割され、これらの組は、把持手段の共通面から外向きに懸下（ｄｅｐｅｎｄ）し、前記第１の位置と第２の把持位置との間で移動される。
【０００８】
一実施形態では、前記第１の位置と第２の位置との間での把持部材の移動が、スナップ動作である、またはスナップ動作を含む。これは、２つの利点を有する。第１に、第１の位置から第２の把持位置へ移動するとき、スナップ動作が、清掃パッドの同じ各部分との接触を保持しながら把持部材を迅速に遠ざかるように移動させ、それによって、把持部材を伸長させ、追加の張力およびしたがって清掃パッドの保持を生じさせる。第２の利点は、清掃パッドを取り外すために第２の位置から第１の位置へ把持部材を移動するとき、スナップ動作が、清掃パッドを把持手段から効果的に「跳ね上げる」ように作用するため、清掃パッドが把持部材から完全に取り外され、それによって適切な位置で廃棄されることができるように、スナップ動作が、清掃パッドへの排出力として作用する。
【０００９】
一実施形態では、把持部材が、細長い形態であり、かつ比較的直線状であり、各組の把持部材が、直線状に離隔されたアレイで設けられ、一連の列で提供されることができる。把持部材が、清掃パッドに対して垂直であっても、清掃パッドから外向きに傾斜されていてもよい角度で、清掃パッドに接近するように角度を付けて配列されることができる。それに加えて、または別法として、把持部材のいくつかまたはすべてが、清掃パッドの把持動作を増加させることが見出される場合、フック形成物を備えることができる。把持部材の数、間隔、および／または形状は、把持部材がそれとともに使用される清掃パッドの特定の形状に応じて様々であってよい。
【００１０】
好ましい実施形態では、把持手段が、ハンドルとともに使用するように提供され、前記ハンドルが把持手段とともに配置され、通常把持部材がそこから突き出している面に対向する把持手段の面から遠ざかるように懸下している。一実施形態では、第１の位置と第２の位置との間の把持部材の移動が、ハンドルと把持手段の相対移動によって達成される。一実施形態では、把持手段に向かうハンドルの移動が、第１の位置から第２の位置への把持部材の移動を生じさせ、把持手段から遠ざかるハンドルの移動が、第２の位置から第１の位置への把持手段の移動を生じさせる。両方の場合で、ハンドルまたは把持手段のいずれかが、移動力が把持部材に及ぼされることを可能にするために、把持手段またはハンドルの他方への力の印加を可能にし、かつその相対移動を可能にするように、相対的に固定された位置に保持されることが、必要とされる。
【００１１】
一実施形態では、把持手段が、清掃作業が行われることを可能にするように、ハンドルに対して角度が調節可能であり、そのとき、ハンドルと把持手段との間の移動の両端位置の１つへのさらなる旋回運動が、物品によってまたは物品に接して保持された把持手段を備えるハンドルが、清掃パッドと接触してそれを把持するために把持手段に向かって、または清掃パッドの排出を生じさせるために把持手段から遠ざかるように、把持手段に対して移動されることを可能にする。
【００１２】
一実施形態では、把持手段が、プレートの一部として提供され、前記プレートが、第１の位置と第２の位置との間の移動が必要とされるスナップ動作を提供するためにオーバーセンタのまわりの移動を含むように、把持手段で保持されている。
【００１３】
通常、清掃パッドの剛性および寸法安定性に対して、把持部材がその上に形成されるプレートの剛性が、清掃パッドと把持部材との最適な係合を可能にするように同調される。また、清掃パッドに対する把持部材の接触および移動の角度が、達成される把持に影響を有し、したがって設計検討中に考慮される。
【００１４】
好ましい実施形態では、ハンドルが、係合位置と開放位置との間で移動することができる係合手段を介して、把持手段に取外し可能に取り付け可能である。好ましい実施形態では、係合手段の移動が、ハンドルの一部として設けられたレバーの操作によって達成され、かつこれは、好ましい一実施形態では、ハンドルがそこで保持される位置にある、またはその位置と隣接する作動手段を有し、それによって、たとえば把持手段が汚れて、または損傷して、新しい把持手段との交換になった場合、ハンドルからの把持手段の解放を可能にするようにハンドルを通常位置に保持するとき、使用者による係合手段の作動を可能にする。
【００１５】
したがって、本発明によると、使用者によってハンドル上で使用者の手で操作されることができ、そのようにして清掃パッドの組立体からの係合および取外しが、使用者が清掃パッドと物理的な接触の必要なしで達成され、それによって衛生を大いに改善する、ハンドルおよび把持手段の組立体が提供される。また、把持手段もまた、使用者による把持手段との物理的な接触の必要なしで、交換の目的のためにハンドルから取り外されることができ、このこともまた衛生の改善を提供する。重要なことに、清掃パッドもまた、使用中、把持手段によって効果的かつ確実に把持される。
【００１６】
必要に応じて、清掃パッドが、ホルダの形態のマガジン内に保持されることができ、前記ホルダもまた、保管の目的、および一実施形態では把持の目的のために、ハンドルおよび把持手段を配置するために作用する。ホルダはまた、ホルダ内の清掃パッドに到達したとき、把持手段が清掃パッドに把持力を及ぼし、使用のために清掃パッドをホルダから持ち上げることを確実にするように、把持手段の方向が修正されることを可能にするために使用されることができる。
【００１７】
一実施形態では、ホルダは、ハンドルの保管のための２つの位置、（ａ）パッドのスタックの最上部での使用のための準備位置と、（ｂ）グリップが使用のために準備された開放位置に留まることを確実にする、突出部上にグリップが配置された、（新しいパッドのいかなる「滴」汚染も回避する手段を提供するための）反対方向に面したホルダの後方に着座された位置とを有する。
【００１８】
一実施形態では、複数の特徴、および特徴のいずれかまたはそれらの任意の組合せが、システムの有用性、特に、ハンドルの保管および新しいパッドの装填の容易さを改善する。これらの特徴は、スタンド内での保管位置でハンドルの重量下で、またはパッドを係合する際に使用者によって加えられる圧力下で、開いた把持が、回転しないことを確実にする止め具を含むハンドルの回転する把持を備える。把持は、ハンドルをパッド上に保持する。
【００１９】
ハンドルがそれに対して寄りかかり、かつその中に配置される、レスト／ガイドが、ホルダ内に設けられている。好ましくは、ガイドは、ハンドルの移動を、横方向および前方向（使用者から遠ざかる）に制約する「Ｕ」字断面形状を有し、ハンドルが障害なく使用者のほうへ自由に引かれるようにする。さらなる特徴は、ハンドルがホルダ内でパッドの上方に配置されるときに、ハンドルの重量の大部分を、ハンドル／グリップ旋回軸の片側に配置するハンドル形状である。好ましい構成では、ハンドルは、スタンドガイド上へ使用者から遠ざかるように前方へ傾斜する。しかし、別の実施形態では、ハンドルは使用者に向かって傾斜してもよい。
【００２０】
集約すると、これらの特徴は、ホルダとハンドルとの関係の好ましい実施形態を提供する。
【００２１】
一実施形態では、ホルダは、その中に配置されたパッドの鉛直方向のスタックとの制限された摩擦抵抗を提供し、それによって、特にハンドルによって引き出されたときに、パッドが分配されることを確実にするための「デネスティング（ｄｅ−ｎｅｓｔｉｎｇ）」形状を提供するように、パッドのための保管領域の内壁上に配置された１つまたは複数のリブを含む。一実施形態では、リブは、半可撓性の材料から作製されている、すなわち、リブは、その中でパッドが供給されるカートンが、リブに対して垂直な方向などでホルダ内に装填されることを可能にするために変形／移動することを可能にする、ばね付加されたシーティングを特徴とする。
【００２２】
一実施形態では、１つまたは複数のリブが、カートン壁自体、またはパッドとカートン壁との間に配置され折りたたまれたインサート内に組み込まれている。
【００２３】
本発明のさらなる態様では、清掃作業を行うための装置であって、清掃パッドと、パッドを把持するための把持手段と、把持手段との接続のためのハンドルとを含み、前記清掃パッドが、把持手段から選択的に変位可能であり、前記把持手段が、ハンドルから選択的に変位可能であり、把持手段が歯を含み、この歯が、第１の把持位置から、清掃パッドの排出を生じさせるために、歯が接触する清掃パッドの表面に対して実質上垂直である第２の排出位置へ移動されることができる装置が提供される。
【００２４】
一実施形態では、いったん清掃パッドが排出されると、把持手段の歯が、第３の位置へ戻る。好ましくは、歯が、次の清掃パッドを把持するための最良の位置に歯が保持されるこの位置に実質上戻る。通常、歯は、スナップ動作で、第３の位置から第１の把持位置へ移動する。
【００２５】
一実施形態では、ハンドルおよび把持手段が、旋回位置を介して接続され、前記把持手段は、把持手段を旋回移動の範囲の終端位置へ旋回させることによって、ハンドルから選択的に取外し可能である。
【００２６】
通常、取外しのための位置は、清掃作業中の装置の作業のために必要とされる通常移動範囲の外にある。
【００２７】
一実施形態では、いったん把持手段およびハンドルが、取外し可能にするために必要とされる位置になると、ハンドルおよび／または把持手段の操作および／または変形が、それに続く取外しを生じさせる。
【００２８】
したがって、本発明は、清掃パッドがハンドル内に配置される必要なしに、清掃パッドの、組立体への内蔵取り付けおよびそこからの排出を可能にする装置を提供し、したがってより容易な交換を可能にする。
【００２９】
本発明のさらなる一態様では、清掃作業での使用のための清掃パッドであって、セルロース繊維を含む繊維の混合物から形成される清掃パッドが提供される。
【００３０】
一実施形態では、セルロース繊維は、繊維混合物の２０％〜７０％の範囲内で含まれ、好ましくは、８デシテックス繊維価より大きいビスコースである。一実施形態では、その他の繊維が、３０％〜８０％の範囲内で含まれる。
【００３１】
通常、その他の繊維が、３０％〜８０％の羊毛繊維（ケラチン）を含む。さらに好ましくは、他の繊維は、３０％〜８０％の３０ミクロンより大きい羊毛を含む。
【００３２】
最も好ましくは、清掃パッドを形成するために使用される材料の組合せは、６０％〜７０％の羊毛と３０％〜４０％のビスコースである。
【００３３】
一実施形態では、パッド組成は、９０％＋加水分解ＰＶＯＨなどの追加された半可溶性の繊維を含む。好ましくは、追加される繊維は、不溶性の被覆（たとえば脂肪族ポリエステル）および半可溶性のコア（たとえばＰＶＯＨ）からなる、ニ組成繊維である。この繊維は、繊維の全重量の５％〜１００％を構成してもよい。
【００３４】
一実施形態では、材料は、研磨粒子、および／またはポリマーコーティング、および／または材料が効果的に切断されることを可能にするシリコンなどの解放剤を含んでもよい。
【００３５】
繊維の混合物は、洗浄を補助するための比重、使用時のパッドの感触および制御を改善する、濡れたときの寸法抵抗性、パッドの清掃作業を補助し、かつ清掃パッドの湿れ強度を制限する吸収性を含む、清掃パッドの特性の組合せを最適化する。これは、パッドの少なくとも部分的な分解をさらに可能にし、したがって、洗浄またはその他の廃棄手段を通したパッドの改良された廃棄を可能にする。
【００３６】
本発明の一実施形態では、ポリマー結合剤の水性分散剤が加えられた清掃パッドが提供される。
【００３７】
一実施形態では、清掃パッドが、少なくとも１つの外部表面から内部へ深さ３ｍｍまでの前記結合剤の浸透を有する。一実施形態では、浸透の深さが、２ｍｍまでである。
【００３８】
一実施形態では、結合剤が、パッドの対向する平面状の外部表面に加えられる。
【００３９】
一実施形態では、結合剤の選択的な付加が、一方の外部表面から、比較的強い層と、未結合の繊維の内部コアまたは層と、反対側の別の比較的強い層とを有する、清掃パッドを結果として生じさせる。前記強い層は、ポリマー結合剤を含む。異なる層の提供が、廃棄されるときの清掃パッドの改良された剥離を可能にする。
【００４０】
一実施形態では、清掃パッドの繊維が、１平方ｃｍ当たり２個〜４個の穿孔の比率で穿孔される。
【００４１】
一実施形態では、清掃パッド内の繊維の一部が、清掃パッドの分離のとき、通常切断される。一実施形態では、パッド内の繊維の６０％より多くが、１５ｍｍ未満の長さを有する。
【００４２】
好ましくは、パッド内での穿孔／切取線のレイアウトは、パッドの長さおよび幅に渡って、平行な切欠きおよび未切断の材料を接合するタグの格子である。
【００４３】
別法として、一方向での切取線の１つの組が、「長手積み」パターンを作成するように垂直にオフセットされている。
【００４４】
一実施形態では、追加の層切取線が、パッドを分割し、洗浄後のパッドのより迅速な部分的な破壊を促進するために、洗浄を補助するための弱い折線と同様に設けられている。
【００４５】
一実施形態では、パッド内での穿孔のレイアウトが、いずれかの方向に１５ｍｍ、より好ましくは少なくとも１つの方向に１０ｍｍ未満の切取線の間の最大間隔があることを確実にするものである。
【００４６】
一実施形態では、パッドは、曲線状の輪郭を有する隅部を備える。一実施形態では、曲線の最小半径は、１０ｍｍ、好ましくは１５ｍｍである。これは、パッドが、トイレトラップの境界内で、洗浄のために必要な方向に曲がることを補助する。
【００４７】
一実施形態では、パッド穿孔が、パッドの長さに沿って、より広い／大きい寸法および／または頻度、垂直平面内でのパッドの幅に沿って、より狭いおよび／または少ない頻度の材料接続点を有する。これは、係合中に把持によって及ぼされる伸長荷重に抵抗するために必要な最小強度を提供するが、把持歯によって清掃中定位置に保持される、幅にわたる穿孔の列間にはより弱い結合を提供する。これは、使用中の完全性を損なうことなく、洗浄後のパッドの破壊を促進する。
【００４８】
一実施形態では、ポリマー結合剤は生分解性である。好ましくは、ポリマーは、高分子脂肪族ポリエステルポリウレタンである。
【００４９】
一実施形態では、パッドに加えられる結合剤は、片側に加えられる耐水結合剤被覆であり、好ましくは生分解性の、高分子重量脂肪族ポリエステルである。別の面上に、ポリビニルアルコール（ＰＶＯＨ）またはスターチなどの半溶解性ポリマー被覆が加えられる。
【００５０】
一実施形態では、繊維が、清掃パッドの分解を促進することによって、水中での使用期限の後、分解することができる繊維混合物に追加される。
【００５１】
一実施形態では、ポリマー結合剤は、生分解性の粒子状固体を備える。一実施形態では、この固体は容易に水溶しない。好ましくは、固体は、寸法的に不安定である、および／または濡れたときおよび応力を受けたとき軟化する。通常、固体が、ポリマー分散剤の固体質量の５％から１００％の間の範囲内のレベルで添加される。
【００５２】
好ましい実施形態では、清掃パッドの浮力が、組立体から廃棄されるとき、および清掃パッドが洗浄される必要性があるとき、パッドの廃棄性に影響を与えるように制御される。好ましくは、浮力が、清掃パッドの密度に対して決定され、かつ洗浄性のための好ましい密度範囲は、清掃パッドが、水中で試験サンプルの重量を測る前に、６０秒間４℃で冷たい純水に完全に浸漬されるとき、１．０５グラム／ＣＣ〜１．４５グラム／ＣＣの間である。より好ましくは、清掃パッドの密度が、洗浄前の便器のトラップ内の水または水溶液の密度の１．０５〜１．４５倍の範囲内である。これは、パッドが、洗浄水溶液の密度をかなり増加させることがある、界面活性剤、染料などの可溶性の固体を染み込ませられるとき特に適切である。
【００５３】
本発明の特定の実施形態が、添付の図面を参照にして以下に説明される。
【発明を実施するための最良の形態】
【００５４】
ここで図１ａ〜図１ｃを最初に参照すると、本発明の一実施形態による把持手段の図が示されている。
【００５５】
把持手段は、第１の側面４、および対向する第２の側面６を有する本体２を備え、側面６から、把持部材８が、清掃パッドの選択的な把持を可能にするために突き出している。
【００５６】
側面４を最初に論じると、これは、本実施形態では、開口１０と、以降に説明される方式でハンドルの端部との配置のために提供されるロケーションバー１２を備える。バーは、開口１０を通って、矢印１４によって示すように移動可能であるように、把持手段に関して装着されている。この移動の目的もまた、以降に説明される。
【００５７】
ここで他方の表面、すなわち下側面６を考えると、２組の把持部材１０、すなわち組１６および組１８が示されている。各組に、この構成では図示のように直線状に離隔されている、複数の把持部材１０が設けられている。図１ａ〜図１ｂの両方で、把持部材は第１の位置で示されている。しかし、それぞれ矢印２０、２２の方向の移動によってそこに移動された、第２の位置にあるときの把持部材１０’の位置が、図１ｂで破線で示されている。
【００５８】
図２ａ〜図２ｂは、把持部材１０が、プレート２４の一部としていかにして提供されるかを示し、プレート２４は、さらにアーム２６に接続され、アーム２６は、ロッド１２とさらに接続されている。プレート２４は、旋回移動２５を可能にし、したがってスナップ動作による把持部材の移動を可能にする、フック形成体３２内のバー３０の接続を介して、把持手段本体２８内に保持されている。好ましくは、プレートは、図２ａの休止位置から、矢印２７によって示されるように、使用中の引張られた位置へ移動されるように、引張り状態に保持されている。
【００５９】
把持手段を第１の位置と第２の位置との間で移動させるために、プレート２４と本体２８との間の相対移動が必要とされる。一実施形態では、図１ｂにおいて太線で示すように、把持部材１０が清掃パッド３６の表面３４と接触するように把持手段を配置し、次に把持手段またはハンドルのいずれかに力を加えて、これらを一緒に押すことなどによって、このことが達成される。これは、把持手段プレートを第２の位置へ移動させ、したがってパッドとの接触を保持している把持部材を、第２の位置１０’へ移動させ、第２の位置１０’において、この実施形態では、把持手段が、図１ｂに示すように伸長され、清掃パッドが、破線３６’によって示されるように伸長させることによって引張下で保持される。
【００６０】
清掃パッドを取り外すためには、ハンドル内で逆のステップに従い、把持手段が、把持手段プレートを第２の位置から第１の位置へ移動させるために離れるように移動され、プレートが、把持部材の把持が解放されるため、清掃パッドを排出するようにスナップ動作によって移動する。
【００６１】
この例では、図１ｃは、ハンドルの把持手段に対する移動が、清掃パッドの排出を生じさせなかった場合、スプリングリリース３１の動作が、把持部材の移動を生じさせ、プレートを第１の位置へ戻し、したがって清掃パッドの排出を生じさせるスプリングリリース３１を示している。
【００６２】
一実施形態では、把持手段にロッド１２と係合するように形成された、図３ａ〜図３ｃに示すようなハンドル３８を介して力が加えられる。一実施形態では、ハンドルが、把持手段に永続的に取り付けられることができるが、別法としておよび好ましくは、把持手段はハンドルから解放可能である。この実施形態では、解放は、係合手段４０の開放によるものであり、係合手段４０は、ハンドル３８の一方の端部にある係合カラーを含む。カラーの開放は、レバー４２を介して達成され、レバー４２は、図１ｃにおいて開放位置で示され、ハンドル上での使用者の手のための位置４６に隣接する作動点４４を有する。カラー４０は、把持手段のロッド１２の周囲に係合した状態で閉鎖位置に通常保持され、それによってハンドルとともに把持手段を保持する。しかし、使用者が把持手段を排出しようと望む場合、これらは、カラーの開放およびしたがって把持手段の解放を生じさせるために、作動点でレバー４２を操作することができる。係合手段４０は、ハンドルともに取り上げられて使用される他の実施を可能にするために使用されることもでき、他の実施は、その周りにカラーが嵌合する、ブラシまたはいずれかの交換可能な清掃手段のうちのいずれかまたはそれらの任意の組合せを備える、ロッド取り付け手段を有する。
【００６３】
ハンドルによって、把持手段と清掃パッドがすべて取り付けられ、そのようにして本発明による清掃装置が形成され、必要とされる清掃作業のために使用されることができる。１回または何回かの使用の後、清掃パッドを廃棄し、新しい清潔なバージョンのものと清掃パッドを交換することが望ましい。これを行うために、把持手段およびハンドルが、制限された範囲まで離れるように移動され、ロッド１２が接続されている把持プレート２４を移動させ、かつ把持部材を、第２の把持位置１０’から、パッドがグリップから解放される第１の位置１０まで移動させる。好ましくは、第２の位置から第１の位置への移動はまた、それに加えて把持部材をパッドから解放させるようにスナップ動作を有し、スナップ動作は、清掃パッドの把持手段からの確実な排出を生じさせる。
【００６４】
図４は、把持手段、ハンドル３８、およびホルダ４８の配置を示している。必要な場合、清掃パッドの貯えが、ホルダ内に保持されることができ、ホルダは、使用のために清掃パッドの１つの把持および取外しをするための、ハンドルでの把持部材のガイドされた移動を可能にするためのガイドを備える。
【００６５】
ここで図５ａおよび図５ｂを参照すると、本発明のさらなる実施形態が示されている。この構成では、把持部材１１０が、最初は、図５ａに示すように、ハンドル１３８および把持手段１０２がパッドと接触するように移動されるとき、いくつかの把持部材のみが清掃パッド１３６と接触するように、プレート１２４内に保持されている。これが第１の位置である。その後、連続する移動が、旋回配置点１３０、１３２が矢印１２５によって示されるように図５ｂに示す第２の位置へ移動するとき、把持手段１１０’のすべてを図５ｂに示すようにパッド１３６と接触させ、そこで清掃パッドが把持される。この構成では、プレート１２４は、把持部材１０２ハウジング１２８の一体部品であってよい、または別個に形成されてよい。清掃パッドを取り外すために、それらステップの逆が行われる。
【００６６】
図６ａおよび図６ｂは、少なくとも１つの把持部材２１０をそれぞれ有する２つのプレート２２４、２２４’が備えられている、さらに別の構成を示している。各プレートは、旋回位置２３０、２３２によってハウジング２２８と旋回自在に接続されている、またはハウジング２２８とともに形成されている。この構成では、プレート２２４、２２４’が、把持部材２１０が第１の位置でそれと接触するように、図６ａに示すように清掃パッド２３６上へ移動する。パッドに向かうさらなる移動が、部材２１０を清掃パッド内へ進行させ、それによって、清掃パッドに外向きに把持力を加える。プレートおよびハウジング２２８上の対合する位置に突起２５０を設けることは、第２の位置が達成されている図６ｂに示すように、把持部材に把持力を及ぼさせる。再び、清掃パッドを取り外すために、それらステップの逆が行われる。
【００６７】
図７ａ〜図７ｂを最初に参照すると、前部および後部の対向する平坦な表面３０４、３０６を含む、本発明による清掃パッド３０２が示されている。ポリマー結合剤材料をそれぞれ含む層３０８、３１０が、表面３０４、３０６から内向きに懸下している。層３０８、３１０の間に、ポリマー結合剤を好ましくは含まない層３１２が設けられている。
【００６８】
繊維の混合体が、清掃パッド特性、すなわち、比重（洗浄を補助するための）、濡れた時の寸法弾性（使用中のパッドの感触および制御）、吸収性（清掃を補助するため）、限界湿潤強度（パッドの部分的な分解を可能にするため）の所望の組合せを最適化するために、清掃パッド構造で使用される。好ましい混合体は、２０％〜７０％のセルロース繊維、４０％〜８０％のその他の繊維、より好ましくは２０％〜７０％の８デシテックスより大きい繊維価のビスコースレーヨン、３０％〜８０％の３０ミクロンより太い羊毛である。
【００６９】
ポリマー結合剤の水性分散剤の適用は、硬化したポリマーの浸透が、製造後に、パッドの両外部表面から内側に最初の２ｍｍに実質上制限されることを確実にするために制御される。結果は、３つの別個の層、すなわち、比較的強い外側層、およびゆるく絡まった未接着の繊維の内側コアを備える清掃パッドとなる。これは、洗浄後の剥離によるパッド構造の部分的な分解をそれに続いて可能にする。
【００７０】
上記で説明された必要とされる剥離の影響が、製造プロセスのニードルパンチ部分の間に、繊維の機械的な絡まりを最小化することによって、さらに改善されることができる。「穿孔」の好ましい比率は、１平方ｃｍ当たり２個〜４個の穿孔である。
【００７１】
パッド構造を通る切取線の密度を増加させ、それによってパッド構造内の長い未切断の繊維の数を減少させることによって、洗浄後のパッドの剥離がさらに強化されてもよい。好ましくは、仕上げられたパッド内の繊維の６０％より多くが、１５ｍｍ未満の切断長さを有することになる。
【００７２】
清掃パッドのための好ましい主な被覆成分は、不溶性および生分解性の両方であり、最も好ましくは、高分子脂肪族ポリエステルポリウレタンである。洗浄後の清掃パッドの破壊を補助するように被覆の結合強度を制限しながら、実質上不溶性の被覆の研磨特性を維持することが望ましい。これは、主なポリマー分散剤に、容易に水溶しないが、寸法的に不安定であるか、使用中にａ）濡れた時および／またはｂ）応力を受けた時に軟化するかのいずれかである、生分解性の粒子状固体を添加することによって達成される。好ましい添加剤は、粉末状の植物（たとえばクルミの殻）、部分的に加水分解されたポリビニルアルコール、および調整されたスターチを含む。これらのフィルタは、ポリマー分散剤の固体質量の５％から１００％の間のレベルで添加されてもよい。
【００７３】
図８ａ〜図８ｇおよび図９ａ〜図９ｂは、ハンドル３１４および把持手段３１６の組立体の端部を示している。把持手段１６は、次に説明されるようにして、清掃パッド３０２を把持するための歯を備える。把持手段３１６は、交換を可能にするためにハンドルから脱着されることを必要としてもよく、ハンドルと把持手段との間の旋回位置３１８の操作によってこれが達成される。旋回位置は、ハンドルの顎部３２２内に配置された軸ロッド３２０によって形成される。デバイスの通常動作では、清掃作業中の清掃パッドの通常の旋回運動を可能にするために、ハンドルと把持手段との間の旋回移動が可能である。把持手段が取り外されることを可能にするために、顎部３２２内の隙間３２４を通過するように、幅Ｘの狭いセグメントが配置されることを可能にするように、把持手段が、図９ｂに示すような旋回範囲の端部位置へ移動される。通常、隙間３２４の幅を増加させようとする顎部の操作が、ロッドが広い隙間を通過するために必要である。通常、前記端部位置は、清掃作業のために必要とされる通常動作の旋回範囲の外にある。
【００７４】
図１０ａ〜図１０ｃは、清掃パッドを歯に対して保持するために清掃パッドと接触する把持手段の歯を備える、清掃パッドと把持手段との間の構成を示している。
【００７５】
使用後のデバイスからの清掃パッド３０２の排出を確実にするために、把持手段の歯３０が、第１の把持位置（図１０ａ）から、第３のすなわち準備位置（図１０ｂ）を通って移動され、図１０ｃに示すようにパッドを排出するためにパッドに対して垂直な実質上鉛直方向の第２の位置を一時的にとることが望ましい。排出が完了した後、歯スプリングが、自動的に準備位置へ戻り、そこで歯が新しい清掃パッドを導入するために好ましい角度をとる。図１０ｂの位置間でのプレートおよび把持手段の移動は、単一のスナップ動作での仕事である。図１０ｃへの一時的な伸長は、ハンドル上の親指ボタンの延ばされた「フォロースルー」移動、または、たとえば、便器の側面などの固定された表面に対して使用されるときにハンドルのフォロースルー移動のいずれかによって、デバイスの使用者によって流動的に達成される。この追加の排出移動は、可可動プレートの２つの軸を保持するために、把持手段枠内に４つのスロットを備えることによって容易にされる。可動プレートの中央が、ここで、枠に対してさらに鉛直方向上方へ移動し、パッド繊維からの分離を最大にするように把持部材をともに鉛直方向に向けられることを可能にされる。
【００７６】
図１１ａ〜図１１ｅを参照すると、清掃パッドの排出のためのハンドルと把持手段との間のさらなる構成が提供されている。この場合、可撓性のストラップ４１０（ハンドル内で支持されている）によって、使用者によって端部に保持された親指作動スイッチ４１２と接続された２つのプランジャ４０６、４０８が、ハンドル４０４の先端４０２に配置される。押圧されたとき、親指スイッチは、プランジャを、そのハウジング内から把持組立体枠４１４の上面に対して押し出して、内部の排出移動を起動させる。次に、プランジャが、圧縮ばね４１５構造を用いて、ハンドルのハウジング内に自動的に引き込まれる。この構成は、親指スイッチと把持組立体との間の固定された結合のない、使用済み清掃パッドの遠隔排出の便利な手段を提供する。これは、把持組立体の容易な交換を可能にし、使用中に把持手段組立体の制限されない移動を提供するという利点を有する。
【００７７】
図１１ｃは、把持手段歯が突き出した位置にある装置を示し、図１１ｅは、引き込まれた把持手段歯を示している。
【００７８】
図１２ａ〜図１２ｃは、清掃パッド５００のさらなる実施形態を示しており、清掃パッドは、丸みを帯びた隅部５０２を備える平面内で実質上矩形であるとして各実施形態で示されている、図１２ａに示されている実施形態は、切欠きの「格子」を形成するように、パッドの長さに沿って走る一連の切欠き５０４と、それに対して垂直に走る一連の切欠き５０６を有する。図１２ｂは、異なるパターンの切欠きがあるが、廃棄中のパッドのサイズを減少させ、パッドの「破壊」を促進するという原理は同じである、これに対する変形形態を示している。未破壊の材料のタグが、使用中に単一のユニットとしてのパッドの完全性を維持するように、切欠きに沿って間隔を置いて設けられることができることを理解されたい。タグの幅は、使用後の特定の破壊および廃棄要件に適合するように調節されることができる。
【００７９】
図１２ｃは、切欠きのさらに別のパターンを示しており、この場合、追加のより長い切欠き５０８を備えることが、パッドをセグメントに分割する働きをし、これが再びパッドの分割を促進する。
【００８０】
図１３ａ〜図１４ｃは、本発明のさらなる態様を示しており、ホルダ６００およびその中に配置されたハンドル６０２を示している。ハンドルは、前に説明したものと同様の方式で動作することになる。図１３ａ〜図１３ｄは、ホルダ内に保持された清掃パッドのスタックの最上部での第１の使用位置にあるハンドルを示しており、図１３ｅ〜図１３ｈは、ハンドル端部および把持手段が、この位置ではパッドの上方にないため、ハンドルからの液滴がパッドに落ちるのを防止された、第２の保管位置でのハンドルを示している。
【００８１】
図１４ｂは、ハンドル６０２、把持手段６０６、およびホルダ６００内のパッド６０４のスタックの好ましい構成を示している。この構成では、ハンドルの重量が、矢印６１０によって示されるようにホルダの軸Ａおよび旋回軸６０８の側にオフセットし、したがって、使用者から遠ざかるように傾斜されるように配置される。矢印Ｂは、ハンドルの旋回移動の限界が、レストＣと組み合わせて、ハンドルおよびグリップが、パッドをうまく取り上げることを確実にすることを示している。ハンドルは、パッド６０４’をスタックの最上部から取り上げて、除去するように移動される。図１４ａは、逆方向にあるハンドルを備える代替となる実施形態を示している。
【００８２】
図１４ｃは、ホルダ６００を通る立断面を示しており、直接にまたはパッドカートン／カートリッジの変形可能な壁を通してのいずれかで、パッドのスタックと接触するように設けられたリブ６１２の１つを備えることを示し、かつパッドの１つが一度にスタックから取り外されることを可能にする、最も密度の高い形態を提供する。ホルダ内にあるときにハンドルがそれに接して休止する、実質上Ｕ字型である、ガイドまたはレスト６１４の一部も示されている。
【００８３】
このようにして、パッドの効果的かつ信頼性の高い把持を可能にする一方、それと同時に、パッド自体から離れた使用者によって把持が達成されることを可能にする、清掃パッドのための把持手段の一連の実施形態が提供されている。ある実施形態では、パッドの排出は、把持ステップの逆のステップによって達成されることができるが、他の作動手段が、清掃パッドの排出を生じさせるために、ハンドルおよび／または把持手段内に設けられてもよいことを理解されたい。
【図面の簡単な説明】
【００８４】
【図１ａ】本発明の一実施形態による把持手段を示す図である。
【図１ｂ】本発明の一実施形態による把持手段を示す図である。
【図１ｃ】本発明の一実施形態による把持手段を示す図である。
【図２ａ】把持手段プレートを示す図である。
【図２ｂ】把持手段プレートを示す図である。
【図３ａ】本発明の一実施形態によるハンドルとともに、図１ａ〜図１ｃの把持手段を示す図である。
【図３ｂ】本発明の一実施形態によるハンドルとともに、図１ａ〜図１ｃの把持手段を示す図である。
【図３ｃ】本発明の一実施形態によるハンドルとともに、図１ａ〜図１ｃの把持手段を示す図である。
【図４】ホルダの保管のための位置にあるハンドルを示す図である。
【図５ａ】把持手段の代替となる構成を示す図である。
【図５ｂ】把持手段の代替となる構成を示す図である。
【図６ａ】本発明による把持手段のさらに別の実施形態を示す図である。
【図６ｂ】本発明による把持手段のさらに別の実施形態を示す図である。
【図７ａ】本発明の一実施形態による清掃パッドの斜視図である。
【図７ｂ】本発明の一実施形態による清掃パッドの側部立断面図である。
【図８ａ】本発明によるハンドルと把持手段との間の固定構成を示す図である。
【図８ｂ】本発明によるハンドルと把持手段との間の固定構成を示す図である。
【図８ｃ】本発明によるハンドルと把持手段との間の固定構成を示す図である。
【図８ｄ】本発明によるハンドルと把持手段との間の固定構成を示す図である。
【図８ｅ】本発明によるハンドルと把持手段との間の固定構成を示す図である。
【図８ｆ】本発明によるハンドルと把持手段との間の固定構成を示す図である。
【図８ｇ】本発明によるハンドルと把持手段との間の固定構成を示す図である。
【図９ａ】ハンドルと把持手段との間の固定構成の概略図である。
【図９ｂ】ハンドルと把持手段との間の固定構成の概略図である。
【図１０ａ】ハンドルと清掃パッドとの間の固定構成を示す図である。
【図１０ｂ】ハンドルと清掃パッドとの間の固定構成を示す図である。
【図１０ｃ】ハンドルと清掃パッドとの間の固定構成を示す図である。
【図１１ａ】清掃パッドの排出を可能にするためのハンドルと把持手段との間のさらなる構成を示す図である。
【図１１ｂ】清掃パッドの排出を可能にするためのハンドルと把持手段との間のさらなる構成を示す図である。
【図１１ｃ】清掃パッドの排出を可能にするためのハンドルと把持手段との間のさらなる構成を示す図である。
【図１１ｄ】清掃パッドの排出を可能にするためのハンドルと把持手段との間のさらなる構成を示す図である。
【図１１ｅ】清掃パッドの排出を可能にするためのハンドルと把持手段との間のさらなる構成を示す図である。
【図１２ａ】清掃パッドの実施形態の平面図である。
【図１２ｂ】清掃パッドの実施形態の平面図である。
【図１２ｃ】清掃パッドの実施形態の平面図である。
【図１３ａ】ホルダに対するハンドルの位置を示す図である。
【図１３ｂ】ホルダに対するハンドルの位置を示す図である。
【図１３ｃ】ホルダに対するハンドルの位置を示す図である。
【図１３ｄ】ホルダに対するハンドルの位置を示す図である。
【図１３ｅ】ホルダに対するハンドルの位置を示す図である。
【図１３ｆ】ホルダに対するハンドルの位置を示す図である。
【図１３ｇ】ホルダに対するハンドルの位置を示す図である。
【図１３ｈ】ホルダに対するハンドルの位置を示す図である。
【図１４ａ】ホルダのさらなる特徴を示す図である。
【図１４ｂ】ホルダのさらなる特徴を示す図である。
【図１４ｃ】ホルダのさらなる特徴を示す図である。
【図１ａ】
2008508908.tif 000003
【図１ｂ】
2008508908.tif 000004
【図１ｃ】
2008508908.tif 000005
【図２ａ】
2008508908.tif 000006
【図２ｂ】
2008508908.tif 000007
【図３ａ】
2008508908.tif 000008
【図３ｂ】
2008508908.tif 000009
【図３ｃ】
2008508908.tif 000010
【図４】
2008508908.tif 000011
【図５ａ】
2008508908.tif 000012
【図５ｂ】
2008508908.tif 000013
【図６ａ】
2008508908.tif 000014
【図６ｂ】
2008508908.tif 000015
【図７ａ】
2008508908.tif 000016
【図７ｂ】
2008508908.tif 000017
【図８ａ】
2008508908.tif 000018
【図８ｂ】
2008508908.tif 000019
【図８ｃ】
2008508908.tif 000020
【図８ｄ】
2008508908.tif 000021
【図８ｅ】
2008508908.tif 000022
【図８ｆ】
2008508908.tif 000023
【図８ｇ】
2008508908.tif 000024
【図９ａ】
2008508908.tif 000025
【図９ｂ】
2008508908.tif 000026
【図１０ａ】
2008508908.tif 000027
【図１０ｂ】
2008508908.tif 000028
【図１０ｃ】
2008508908.tif 000029
【図１１ａ】
2008508908.tif 000030
【図１１ｂ】
2008508908.tif 000031
【図１１ｃ】
2008508908.tif 000032
【図１１ｄ】
2008508908.tif 000033
【図１１ｅ】
2008508908.tif 000034
【図１２ａ】
2008508908.tif 000035
【図１２ｂ】
2008508908.tif 000036
【図１２ｃ】
2008508908.tif 000037
【図１３ａ】
2008508908.tif 000038
【図１３ｂ】
2008508908.tif 000039
【図１３ｃ】
2008508908.tif 000040
【図１３ｄ】
2008508908.tif 000041
【図１３ｅ】
2008508908.tif 000042
【図１３ｆ】
2008508908.tif 000043
【図１３ｇ】
2008508908.tif 000044
【図１３ｈ】
2008508908.tif 000045
【図１４ａ】
2008508908.tif 000046
【図１４ｂ】
2008508908.tif 000047
【図１４ｃ】
2008508908.tif 000048
【国際調査報告】
2008508908.tif 000049
2008508908.tif 000050
2008508908.tif 000051
2008508908.tif 000052
2008508908.tif 000053